(57)【要約】【課題】主モデムを介して副モデム間でデータを伝送する通信システムに関し、データ伝送路の帯域の有効利用を図る。【解決手段】端末機器２−１〜２−３を接続した副モデム１−１〜１−３間のデータを、主モデム４を介して伝送する通信システムであって、主モデム４は、副モデム１−１〜１−３に対してブロードキャストするビーコン信号の生成送出手段と、このビーコン信号に対する副モデムからのビーコンＡＣＫ信号を受信識別する手段と、ビーコンＡＣＫ信号を送信した副モデムを識別して、データ伝送帯域の割り当て通知を行う伝送帯域割り当て制御手段とを含む構成を有し、副モデム１−１〜１−３は、主モデム４からのビーコン信号に対するビーコンＡＣＫ信号の生成送出手段と、主モデム４からのデータ伝送帯域の割り当てに従ってデータ送信を行う手段とを含む構成を有する。【選択図】図１
2009055493.tif 000002
【特許請求の範囲】
【請求項１】
端末機器を接続した副モデム間のデータを、主モデムを介して伝送する通信システムに於いて、
前記主モデムは、前記副モデムに対してブロードキャストするビーコン信号の生成送出手段と、該ビーコン信号に対する前記副モデムからのビーコンＡＣＫ信号を受信識別する手段と、前記ビーコンＡＣＫ信号を送信した前記副モデムを識別して、データ伝送帯域の割り当て通知を行う伝送帯域割り当て制御手段とを含む構成を有し、
前記副モデムは、前記ビーコン信号に対するビーコンＡＣＫ信号の生成送出手段と、前記主モデムからのデータ伝送帯域の割り当てに従ってデータ送信を行う手段とを含む構成を有する
ことを特徴とする通信システム。
【請求項２】
前記主モデムは、前記副モデムに対してブロードキャストし、且つ前記副モデム対応にビーコンＡＣＫ信号の送信タイミングを指定するビーコン信号の生成送出手段と、前記ビーコンＡＣＫ信号を送信しない副モデムを識別し、次のビーコン周期のビーコンＡＣＫ信号対応の伝送帯域を含めて他の副モデムのデータ伝送帯域に割り当てる制御手段とを含む構成を有することを特徴とする請求項１記載の通信システム。
【請求項３】
前記副モデムの前記ビーコンＡＣＫ信号の生成送出手段は、前記端末機器を接続するポートのリンク状態を監視し、全リンク断状態に於いて前記ビーコン信号に対するビーコンＡＣＫ信号の生成送出を停止する構成を有することを特徴とする請求項１記載の通信システム。
【発明の詳細な説明】
【技術分野】
【０００１】
本発明は、同軸ケーブル、ＬＡＮケーブル等のケーブル又は各種の機器に動作電力を供給する為に配線されている電力線をデータ伝送路としてデータ伝送を行う通信システムに関する。
【背景技術】
【０００２】
同軸ケーブルやＬＡＮケーブル等をデータ伝送路としてデータ伝送を行う通信システムが一般的であり、共通バス形式やリング状バス形式等の各種の接続構成が知られている。又家電機器に商用交流電源から１００Ｖや２００Ｖを供給する低圧の電力線を利用して、各種のデータを伝送する電力線通信（ＰＬＣ；Ｐｏｗｅｒ  Ｌｉｎｅ  Ｃｏｍｍｕｎｉｃａｔｉｏｎ）システムも知られている。この電力線通信システムに於けるデータの伝送変調方式としては、各種の方式の開発が進められているが、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）変調方式やＳＳ（Ｓｐｒｅａｄ  Ｓｐｅｃｔｒｕｍ）変調方式等を適用することが知られている。又データ伝送の為の使用周波数帯は、１０ｋＨｚ〜４５０ｋＨｚ、又は高速でデータ伝送が容易になる２ＭＨｚ〜３０ＭＨｚが割り当てられている。
【０００３】
又高圧６ｋＶをトランスによって低圧２００Ｖ又は１００Ｖに降圧し、低圧電力線により各家庭に給電する一般的な電力配電システムに於いて、各家庭内では低圧電力線に子モデムを接続し、その子モデムにパソコン等の端末機器を接続して、トランス単位のサブネットを構成し、各サブネットのトランス近傍の低圧配電線に親モデムを接続し、この親モデムに光電変換器を介してインターネット等に接続する光ファイバを接続した電力線通信システムが知られており、その電力線通信システムに於いて、トランス間の共通の接地線にフェライトコア等によるインダクタンス素子を設け、そのインダクタンス素子による高インピーダンスによって、サブネット間の干渉を低減し、又ＯＦＤＭ変調方式を適用した場合に、サブネット対応に減衰量が少なくなる周波数帯を割り当てる手段等が提案されている（例えば、特許文献１参照）。
【０００４】
又屋内に引き込んだ低圧電力線を、分電盤のブレーカを介して配線し、その低圧電力線の分岐終端のコンセントに家電機器を接続して動作電力を供給する構成に於いて、分電盤近傍に主モデムを配置して電力線に接続し、その電力線の終端のコンセントに副モデムを介してパソコン等の端末機器を接続し、各端末機器間は、副モデムと電力線と主モデムとを介して変調信号によりデータ伝送を可能とし、主モデムと副モデムとに於いてＳ／Ｎ比を求めて相互に通知し、所望のＳ／Ｎ比が得られるように送信電力の調整を行い、又主モデム対応に変調周波数を用いるとしても、隣接家屋等の他の主モデムからの漏洩信号レベルが高いと、エラーが発生しやすくなる。そこで、漏洩信号レベルを測定し、妨害を与える側の主モデムに対して、測定したＳ／Ｎ比等を通知する手段を含む電力線通信システムが提案されている（例えば、特許文献２参照）。
【０００５】
又共有バスにより複数の装置を接続し、複数の装置の中の１個は監視制御パッケージ、他は被監視制御パッケージとし、監視制御メッセージを送受信する場合に、監視制御パッケージからの実装監視メッセージに対して応答した被監視制御パッケージは、実装されていると判定し、実装されている被監視制御パッケージと監視制御パッケージとの間のメッセージ送受信を行うことにより、共有バスの有効利用を図る手段も提案されている（例えば、特許文献３参照）。
【特許文献１】特開２００３−１４３０４３号公報
【特許文献２】特開２００６−１６６０１６号公報
【特許文献３】特開２０００−３３２７９９号公報
【発明の開示】
【発明が解決しようとする課題】
【０００６】
主モデムと複数の副モデムとを、同軸ケーブル、ＬＡＮケーブル、或いは電力線をデータ伝送路として接続し、各副モデムに接続した端末機器間のデータ伝送を、主モデムを介して行う通信システムに於いては、データ伝送路に接続される副モデムの数が多くなるに従って、各副モデムに割り当てられるデータ送受信時間が短くなり、各副モデム対応のデータ速度は低下する問題がある。しかし、従来の例えば前記特許文献１には、隣接家屋との間の漏洩妨害波や信号レベルの低下の問題を提起し、主モデムに於いて送受信データのレベル制御等により解決し、又前記特許文献２には、サブネット間の干渉の問題を提起し、フェライトコア等によるインダクタンスを付加することにより、解決する手段を提供し、又前記特許文献３は、共有バスの有効利用の問題を提起して、実装装置に対してのみ、共有バスを利用するようにしたものである。
【０００７】
本発明は、主モデムとデータ伝送路を介して副モデム間のデータ伝送を行うシステムに於ける副モデム間のデータ伝送の効率を向上することを目的とする。
【課題を解決するための手段】
【０００８】
本発明の通信システムは、端末機器を接続した副モデム間のデータを、主モデムを介して伝送する通信システムであって、主モデムは、副モデムに対してブロードキャストするビーコン信号の生成送出手段と、このビーコン信号に対する副モデムからのビーコンＡＣＫ信号を受信識別する手段と、ビーコンＡＣＫ信号を送信した副モデムを識別して、データ伝送帯域の割り当て通知を行う伝送帯域割り当て制御手段とを含む構成を有し、副モデムは、ビーコン信号に対するビーコンＡＣＫ信号の生成送出手段と、主モデムからのデータ伝送帯域の割り当てに従ってデータ送信を行う手段とを含む構成を有する。
【０００９】
又主モデムは、副モデムに対してブロードキャストし、且つ副モデム対応にビーコンＡＣＫ信号の送信タイミングを指定するビーコン信号の生成送出手段と、ビーコンＡＣＫ信号を送信しない副モデムを識別し、次のビーコン周期のビーコンＡＣＫ信号対応の伝送帯域を含めて他の副モデムのデータ伝送帯域に割り当てる制御手段とを含むものである。
【００１０】
又副モデムのビーコンＡＣＫ信号の生成送出手段は、端末機器を接続するポートのリンク状態を監視し、全リンク断状態に於いて、ビーコン信号に対するビーコンＡＣＫ信号の生成送出を停止する構成を有するものである。
【発明の効果】
【００１１】
主モデムと複数の副モデムとをデータ伝送路を介して接続し、副モデムに接続した端末機器間のデータを、副モデムと主モデムとを介して伝送する通信システムに於けるデータ伝送帯域を、実際に動作状態で伝送帯域割り当て要求の副モデム対応に割り当て、ビーコンＡＣＫ信号を送信しない副モデムには、伝送帯域割り当てを行わないことにより、副モデム間の伝送効率を向上することができる。
【発明を実施するための最良の形態】
【００１２】
本発明の通信システムは、図１を参照して説明すると、端末機器２−１〜２−３を接続した副モデム１−１〜１−３間のデータを、主モデム４を介して伝送する通信システムであって、主モデム４は、副モデム１−１〜１−３に対してブロードキャストするビーコン信号の生成送出手段と、このビーコン信号に対する副モデムからのビーコンＡＣＫ信号を受信識別する手段と、ビーコンＡＣＫ信号を送信した副モデムを識別して、データ伝送帯域の割り当て通知を行う伝送帯域割り当て制御手段とを含む構成を有し、副モデム１−１〜１−３は、主モデム４からのビーコン信号に対するビーコンＡＣＫ信号の生成送出手段と、主モデム４からのデータ伝送帯域の割り当てに従ってデータ送信を行う手段とを含む構成を有する。
【実施例１】
【００１３】
図１は、本発明の実施例１のシステム構成の説明図であり、１−１〜１−３は副モデム、２−１〜２−３，５はパソコン等の端末機器、３−１〜３−３，６は端末機器インタフェース部、４は主モデム、７は屋内に配線して家電機器等に１００Ｖや２００Ｖの電圧の電力を供給する為の電力線、８は電力線に接続する為のコンセント、９はプラグを示し、ＰＬＣシステムに適用した場合を示す。単一又は複数の端末機器２−１〜２−３を接続した副モデム１−１〜１−３間のデータを、主モデム４を介して伝送するもので、主モデム４は、副モデム１−１〜１−３に対してブロードキャストするビーコン信号の生成送出手段と、このビーコン信号に対する副モデムからのビーコンＡＣＫ信号を受信識別する手段と、ビーコンＡＣＫ信号を送信した副モデムを識別して、データ伝送帯域の割り当て通知を行う伝送帯域割り当て制御手段とを含む構成を有するものである。又副モデム１−１〜１−３は、主モデム４からのビーコン信号に対するビーコンＡＣＫ信号の生成送出手段と、主モデム４からのデータ伝送帯域の割り当てに従ってデータ送信を行う手段とを含む構成を有するものである。なお、主モデム４に接続した端末機器５は、主モデム４を介して、他の端末機器２−１〜２−３との間のデータ伝送を行うと共に、図示を省略したインターネット等の他のネットワークと接続して、データ伝送を可能とする上位装置とすることができる。
【００１４】
又副モデム１−１〜１−３は、端末機器インタフェース部３−１〜３−３を介してそれぞれ１個の端末機器２−１〜２−３を接続する場合を示しているが、複数個の端末機器を接続する構成とすることができる。即ち、副モデム１−１〜１−３は、複数のポートを備え、それぞれのポート対応に端末機器を接続可能とし、ポートに接続した端末機器との間にリンクを形成し、端末機器は、それぞれ副モデムと主モデムとを介して、データ伝送を行うことになる。又主モデム４は、電力線７を引き込んで屋内の各所にブレーカを介して分岐配線する為の分電盤内に設けることができる。
【００１５】
又電力線７には、分岐先等にそれぞれコンセント８が設けられて、それらのコンセント８に主モデム４のプラグ９及び副モデム１−１〜１−３のプラグ９を差し込むことにより、主モデム４と副モデム１−１〜１−３とにそれぞれ動作電力が供給されると共に、それらの間の電力線７によるデータ伝送路が構成される。又主モデム４は、電力線７を介して接続された配下の副モデム１−１〜１−３を、初期認証時に、それぞれのＭＡＣアドレスや個体識別情報等により認証して登録し、認証した副モデム間のデータ伝送を中継する制御構成とすることにより、端末機器２−１〜２−３が副モデム１−１〜１−３と主モデム４とを介して相互にデータ伝送することができる。更に、主モデム４に接続した端末機器５を介してインターネット等の家屋外のネットワークにアクセス可能とする制御構成を含めることができる。なお、データは、ＯＦＤＭ方式やＳＳ方式等の変調方式により変調して、電力線７により伝送される。
【００１６】
又主モデム４は、ビーコン信号の生成送出手段により、配下の副モデム１−１〜１−３に対してビーコン信号をブロードキャスト形式で送信する。副モデム１−１〜１−３は、ポート対応に接続した端末機器２−１〜２−３との間のリンク確立状態を確認して、ビーコンＡＣＫ信号の生成手段によりビーコンＡＣＫ信号を生成して主モデム４に返信し、動作可能状態であることを通知する。主モデム４の伝送帯域割り当て制御手段は、このビーコンＡＣＫ信号を受信することにより、副モデム１−１〜１−３とそれに接続されている端末機器２−１〜２−３が動作可能状態であると認識し、副モデム１−１〜１−３に対する帯域割り当てを行う。又副モデム１−１〜１−３は、ビーコンＡＣＫ信号に、送信要求の為の帯域要求情報を含ませ、主モデム４は、この帯域要求情報により、他の副モデムからの帯域要求情報との関係から帯域割り当てを決定して、次のビーコン信号により通知することができる。従って、動作可能状態の副モデムに対してのみ伝送帯域を割り当て、動作不可能状態の副モデムに対しては伝送帯域を割り当てないことにより、伝送帯域を有効に利用して、伝送効率を向上することができる。更に、動作可能状態でない副モデムは、ビーコンＡＣＫ信号を送信しないので、そのビーコンＡＣＫ信号の送信帯域も他の副モデムの帯域要求に応じて割り当てることにより、伝送効率の一層の向上が可能となる。なお、主モデム４と複数の副モデム１−１〜１−３との間を、同軸ケーブルやＬＡＮケーブル等をデータ伝送路として接続し、主モデム４を介して副モデム１−１〜１−３間のデータ伝送を行うシステム構成とすることもできる。
【００１７】
図２は、本発明の実施例１の主モデムの説明図であり、１０は端末機器インタフェース（Ｉ／Ｆ）部、１１は信号／電源結合部、１２は送受信号結合部、１３は変調部、１４は復調部、１５はＤ／Ａ変換部、１６はＡ／Ｄ変換部、１７はＩ／Ｆ変換・逆変換／出力調整部、１８はビーコン／主信号／多重部、１９はビーコンＡＣＫ／主信号／分離部、２０はビーコン生成・送信部を示す。信号／電源結合部１１は、図１に示す電力線７に接続したコンセント８にプラグ９を差込むことにより、電力線７からの電力を、図示を省略した内部の電源部に供給し、電力線７をデータ伝送路として利用可能とする為に、データと電力との分離結合を行うトランスやコンデンサを含む構成を有するものである。
【００１８】
又送受信号結合部１２は、変調部１３からの送信変調信号を信号／電源結合部１１に転送し、又信号／電源結合部１１からの受信変調信号を復調部１４に転送して復調させ、復調部１６による受信復調信号をＩ／Ｆ変換・逆変換／出力調整部１７へ転送する。このＩ／Ｆ変換・逆変換／出力調整部１７は、主信号フレームフォーマットの組立、分解を行うと共に、信号／電源結合部１１からデータ伝送路としての電力線に送出する信号レベルが、副モデム側で正常に受信可能となるレベルに調整する機能を有するものである。又ビーコン／主信号／多重部１８は、ビーコン生成・送信部２０からのビーコン信号と、端末機器インタフェース部１０からの主信号とを多重化して、Ｉ／Ｆ変換・逆変換／出力調整部１７へ転送する。
【００１９】
又ビーコンＡＣＫ／主信号／分離部１９は、受信したビーコンＡＣＫ信号と主信号とを分離し、主信号は端末機器インタフェース部１０を介して図示を省略した端末機器へ転送する。ビーコン生成・送信部２０は、前述のビーコン信号の生成手段と、伝送帯域割り当て制御手段とを含む構成を有し、副モデムに対してブロードキャストするビーコン信号を生成して、ビーコン／主信号／多重部１８へ転送する。なお、ビーコン信号には、ビーコンＡＣＫ信号の送信タイミングと割り当て伝送帯域情報とを、伝送帯域割り当て制御手段により形成して含ませる。生成したビーコン信号は、ビーコン／主信号／多重部１８へ転送する。又複数の副モデムからの主信号フレームを中継伝送する構成については図示を省略しているが、ビーコンＡＣＫ／主信号／分離部１９により分離した主信号の送信元と送信先とを基に、副モデム間のデータ伝送と判断すると、ビーコン／主信号／多重部１８に折り返して、Ｉ／Ｆ変換・逆変換／出力調整部１７によりレベル調整し、Ｄ／Ａ変換部１５、変調部１３、送受信号結合部１２、信号／電源結合部１１を介して、電力線に送出することができる。又図１に示すように、端末機器５を接続している場合に、この端末機器５へデータを転送する場合は、ビーコンＡＣＫ／主信号／分離部１９により分離した主信号を、端末機器インタフェース部１０から端末機器へ転送することになる。なお、同軸ケーブルやＬＡＮケーブル等をデータ伝送路とする場合は、送受信号結合部１２にデータ伝送路を接続した構成とする。
【００２０】
図３は、本発明の実施例１の副モデムの説明図であり、２１は信号／電源結合部、２２は送受信号結合部、２３は変調部、２４は復調部、２５はＤ／Ａ変換部、２６はＡ／Ｄ変換部、２７はＩ／Ｆ変換・逆変換／出力調整部、２８はビーコンＡＣＫ／主信号／多重部、２９はビーコン／主信号／分離部、３０はビーコンＡＣＫ生成・送信部、３１は端末機器インタフェース（Ｉ／Ｆ）部を示す。信号／電源結合部２１は、図１に示す電力線７に接続したコンセント８にプラグ９を差込むことにより、電力線７からの電力を、図示を省略した電源部に供給し、電力線７をデータ伝送路として利用し、データと電力との分離結合を行うトランスやコンデンサを含む構成を有するものである。
【００２１】
又送受信号結合部２２は、図２に示す主モデム４の送受信号結合部１２と同様に、変調部２３からの送信変調信号を信号／電源結合部２１に転送し、又信号／電源結合部２１からの受信変調信号を復調部２４に転送して復調させるものである。又復調部２４による受信復調信号をＡ／Ｄ変換部２６によりディジタル信号に変換してＩ／Ｆ変換・逆変換／出力調整部２７へ転送する。このＩ／Ｆ変換・逆変換／出力調整部２７は、主信号フレームフォーマットの組立、分解を行うと共に、信号／電源結合部２１からデータ伝送路としての電力線に送出する信号レベルを調整する機能を有するものである。又ビーコン／主信号／多重部２８は、ビーコンＡＣＫ生成・送信部３０からのビーコンＡＣＫ信号と、端末機器インタフェース部３１からの主信号とを多重化して、Ｉ／Ｆ変換・逆変換／出力調整部２７へ転送する。
【００２２】
又ビーコン／主信号／分離部２９は、受信したビーコン信号と主信号とを分離し、主信号は端末機器インタフェース部３１を介して図示を省略した端末機器へ転送する。ビーコンＡＣＫ生成・送信部３０は、ビーコン信号に対するビーコンＡＣＫ信号の生成送出手段を構成するもので、ビーコン／主信号／分離部２９により分離されたビーコン信号を基に、主モデムへ送信するビーコンＡＣＫ信号を生成し、ビーコンＡＣＫ／主信号／多重部２８へ転送する。この時、端末機器インタフェース部３１のバッファメモリ等による送信要求関連情報等を基に、主モデムに対する伝送帯域割り当て要求情報をビーコンＡＣＫ信号に含ませることができる。又端末機器インタフェース部３１は、単一又は複数のポートに端末機器を接続する構成を有するもので、各ポート対応にリンク確立状態か否かを監視して、全ポートのリンク断の状態の場合、ビーコンＡＣＫ生成・送信部３０に通知する。このように、全ポートのリンク断状態は、動作可能状態ではないから、ビーコンＡＣＫ生成・送信部３０は、ビーコン／主信号／分離部２９からのビーコン信号受信通知に対して、ビーコンＡＣＫ信号の生成送出を中止する。それにより、主モデム４側では、ビーコンＡＣＫ信号を送信した副モデムだけにデータ伝送の帯域を割り当てることが可能となると共に、ビーコンＡＣＫ信号の送信帯域も他の副モデムのデータ伝送に割り当てることが可能となり、副モデム間の伝送帯域の有効利用を図ることが可能となる。なお、前述のように、同軸ケーブルやＬＡＮケーブル等をデータ伝送路とする場合は、送受信号結合部２２にデータ伝送路を接続した構成とする。
【００２３】
図４は、伝送フレーム構成の説明図であり、任意のバイト数の送信先アドレス４１と、任意バイト数の送信元アドレス４２と、３ビット構成のフレーム種別４３と、任意のバイト数のデータ４４とを含み、例えば、送信先アドレス４１をオール“１”として、ブロードキャストであることを示し、送信元アドレス４２を主モデムのアドレスとし、フレーム種別４３を“１１１”として、主モデムから各副モデムに対するビーコン信号とする。又データ４４として、各副モデムをアドレス等により指定して、ビーコンＡＣＫ信号送信タイミングを通知し、副モデムからのビーコンＡＣＫ信号が時間的に重複しないように制御する。又副モデム側の伝送帯域要求に従って割り当て可能の帯域を、データ４４の領域内に設定して送信することができる。このようなビーコン信号は、図２のビーコン生成・送信部２０のビーコン信号生成送出手段により生成する。
【００２４】
又副モデムは、送信アドレス４１を主モデムのアドレスとし、送信元アドレス４２を送信する副モデムのアドレスとし、フレーム種別４３を“１１０”としてビーコンＡＣＫ信号とし、データ４４として、必要に応じて、要求帯域情報を付加し、ビーコン信号により指定された送信タイミングで主モデムに対して送信する。このようなビーコンＡＣＫ信号は、図３のビーコンＡＣＫ生成・送信部３０のビーコンＡＣＫ信号の生成送出手段によって生成して、主モデムに送信する。又副モデム間でデータを伝送する場合のフレームは、送信元アドレス４１と受信元アドレス４２とは、それぞれ送信する副モデムのアドレスと受信する副モデムのアドレスとし、フレーム種別４３は“０００”として主信号を示し、データ４４に伝送するデータを付加して、主モデムを介して送信することになる。
【００２５】
この主信号としたフレームの送信タイミングは、割り当て帯域に対応して、他の副モデムからの送信フレームと時間軸上で重複しないように、主モデム側から指定する。この場合、ビーコン信号に対するビーコンＡＣＫ信号により要求帯域情報を主モデム４に送信し、次のビーコン信号により、主モデム４から割り当て帯域に対応した送信タイミング情報を副モデムに通知することにより、副モデム間のデータ伝送を、時間軸上で重複しないように行うことができる。従って、ビーコン信号を所定の時間間隔で送信し、端末機器が送信要求を有する場合又は受信動作可能の状態の場合は、ビーコンＡＣＫ信号を、主モデム４に送信するから、主モデム４は、ビーコンＡＣＫ信号を送信しない副モデムに対する帯域割り当てを行わず、他の副モデムの要求帯域に対応して帯域割り当て処理を行うことにより、伝送帯域の有効利用を図ることができる。
【００２６】
図５は、伝送帯域割り当ての説明図であり、主モデム４からのビーコン信号の送信終了から次の送信開始までの時間をＴとし、副モデム１−１〜１−３からのビーコンＡＣＫ信号の送信間隔をＸとすると、この場合、３台の副モデム１−１〜１−３からのビーコンＡＣＫ信号が主モデム４に順次送信され、この場合のビーコンＡＣＫ信号による所要帯域は、３Ｘとなる。従って、データ伝送に使用可能の帯域Ｙは、Ｙ＝Ｔ−３Ｘとなり、この帯域Ｙ内に於いて、例えば、副モデム１−１からのデータＴｘ１と、副モデム１−２からのデータＴｘ２と、副モデム１−３からのデータＴｘ３との伝送帯域を主モデム４により割り当てる。この時、例えば、副モデム１−３に接続された端末機器２−３が動作を停止し、リンク断となった場合、副モデム１−３は、ビーコンＡＣＫ信号を送信しない。主モデム４は、１個のビーコンＡＣＫ信号を受信しないことにより、データ伝送の帯域Ｙを、Ｙ＝Ｔ−２Ｘとし、ビーコンＡＣＫ信号用の帯域Ｘを他の副モデムのデータ伝送の帯域として割り当てることができる。従って、データ伝送の帯域Ｙを固定的に設定した場合に比較して、データ伝送の帯域の有効利用を図ることができる。
【図面の簡単な説明】
【００２７】
【図１】本発明の実施例１のシステム構成の説明図である。
【図２】本発明の実施例１の主モデムの説明図である。
【図３】本発明の実施例１の副モデムの説明図である。
【図４】本発明の実施例１の伝送フレーム構成の説明図である。
【図５】本発明の実施例１の伝送帯域割り当ての説明図である。
【符号の説明】
【００２８】
１−１〜１−３  副モデム
２−１〜２−３，５  端末機器
３−１〜３−３，６  端末機器インタフェース部
４  主モデム
７  電力線
８  コンセント
９  プラグ
【図１】
2009055493.tif 000003
【図２】
2009055493.tif 000004
【図３】
2009055493.tif 000005
【図４】
2009055493.tif 000006
【図５】
2009055493.tif 000007